(57)【要約】【目的】  採光窓付き内装パネルにおいて、採光窓が容易に形成されること。【構成】  平面形状が表面材（２）に形成された開口部（４）の平面形状に等しくされた本体（３）と、本体の周囲に形成された鍔部（１）とを有する透光部材（５）が、表面材の裏面に固定され、透光部材の本体は表面材の開口部に嵌め込まれて表面材と表面が面一となり、この透光部材が固定された表面材の２枚が対置固定される。【選択図】図１
2005232879.tif 000002
【特許請求の範囲】
【請求項１】
平面形状が表面材に形成された開口部の平面形状に等しくされた本体と、本体の周囲に形成された鍔部とを有する透光部材が、表面材の裏面に固定され、透光部材の本体は表面材の開口部に嵌め込まれて表面材と表面が面一となり、この透光部材が固定された表面材の２枚が対置固定されたことを特徴とする採光窓付き内装パネル。
【請求項２】
本体の裏側に鍔部が設けられた２つの透光部材の内、一方の透光部材の本体が対置される２枚の表面材の一方の開口部に嵌め込まれ、他方の透光部材の本体が他方の表面材の開口部に嵌め込まれた請求項１記載の採光窓付き内装パネル。
【請求項３】
２枚の表面材間で透光部材は離間配置され、相互間に空間が形成されている請求項２記載の採光窓付き内装パネル。
【発明の詳細な説明】
【技術分野】
【０００１】
この出願の発明は、採光窓付き内装パネルに関するものである。さらに詳しくは、この出願の発明は、採光窓が容易に形成される採光窓付き内装パネルに関するものである。
【背景技術】
【０００２】
ドア、間仕切り、内壁パネル等の内装パネルについては、採光窓が配設されたものが知られている（たとえば、特許文献１参照）。
【０００３】
この採光窓付きの内装パネルでは、表面材に形成された窓用開口部に窓面材が、その表面を表面材の表面と面一にして嵌入され、裏面が保持部材によって支持されるとともに、窓用開口部の内周面と窓面材の外周面間に固定部材が配置されて窓面材が窓用開口部に固定されている。
【特許文献１】実願平４−８８２７号（実開平５−６９２８６号）のＣＤ−ＲＯＭ
【発明の開示】
【発明が解決しようとする課題】
【０００４】
しかしながら、上記採光窓付き内装パネルには、窓面材を固定するために保持部材及び固定部材が必要であり、また、それらを配設するための構造が比較的複雑となっていて、採光窓を容易に形成することはできないという問題がある。
【０００５】
この出願の発明は、このような事情に鑑みてなされたものであり、採光窓が容易に形成される採光窓付き内装パネルを提供することを解決すべき課題としている。
【課題を解決するための手段】
【０００６】
この出願の発明は、上記の課題を解決するものとして、第１には、平面形状が表面材に形成された開口部の平面形状に等しくされた本体と、本体の周囲に形成された鍔部とを有する透光部材が、表面材の裏面に固定され、透光部材の本体は表面材の開口部に嵌め込まれて表面材と表面が面一となり、この透光部材が固定された表面材の２枚が対置固定されたことを特徴とする採光窓付き内装パネルことを特徴とする採光窓付き内装パネルを提供する。
【０００７】
この出願の発明は、第２には、上記第１の採光窓付き内装パネルにおいて、本体の裏側に鍔部が設けられた２つの透光部材の内、一方の透光部材の本体が対置される２枚の表面材の一方の開口部に嵌め込まれ、他方の透光部材の本体が他方の表面材の開口部に嵌め込まれた採光窓付き内装パネルを提供する。
【０００８】
この出願の発明は、第３には、上記第２の採光窓付き内装パネルにおいて、２枚の表面材間で透光部材は離間配置され、相互間に空間が形成されているを提供する。
【発明の効果】
【０００９】
この出願の発明の第１の採光窓付き内装パネルによれば、採光窓を容易に形成することができる。
【００１０】
この出願の発明の第２の採光窓付き内装パネルによれば、透光部材が内装パネルの厚さに比べて薄厚に形成されるので、薄厚板等を用いて採光部を形成することができ、低コスト化が図れる。また、表面材毎に別個の透光部材が固定されるので、対置される表面材間の開口位置を正確に位置あわせする必要がなく、効率良く製造することができる。
【００１１】
この出願の発明の第３の採光窓付き内装パネルによれば、視覚的な効果により内装パネルの厚み方向に連続的に広がる採光窓に見せることができる。
【発明を実施するための最良の形態】
【００１２】
以下、図面に沿ってこの出願の発明の採光窓付き内装パネルについてさらに詳しく説明する。
【００１３】
図１は、この出願の発明の採光窓付き内装パネルの一実施形態をその作製工程とともに例示した斜視図である。
【００１４】
この図１に示したように、この出願の発明の採光窓付き内装パネルでは、平面形状が表面材（２）に形成された開口部（４）の平面形状に等しくされた本体（３）と、本体（３）の周囲に形成された鍔部（１）とを有する透光部材（５）が、表面材（２）の裏面に固定される。このとき、透光部材（５）の本体（３）は、表面材（２）の開口部（４）に嵌め込まれ、本体（３）の表面が表面材（２）の表面と面一になる。そして、透光部材（５）が固定された表面材（２）の２枚が対置固定され、この出願の発明の採光窓付き内装パネルは形成される。したがって、この出願の発明の採光窓付き内装パネルでは、部品点数が削減され、構造が単純化されていることから、採光窓が容易に形成される。また、透光部材（５）の本体（３）の表面と表面材（２）の表面は面一であるため、フラットな内装パネルとなる。居室、クローゼット用のドアをはじめ、内壁パネル等として、意匠性に優れたものが実現される。たとえば、この出願の発明の内装パネルを引戸として用いた場合、透光部材（５）を固定するためのモール等が不要となり、表面がフラットであるため、控え壁や他の引戸との間隔を狭めることが可能となる。
【００１５】
なお、透光部材（５）は、たとえば図１に示したように、周囲に鍔部（１）を残し、表面材（２）の厚み（ｔ）分切削することにより作製したり、注型成形等により作製したりすることができる。このような透光部材（５）には、アクリル板等をはじめとする各種の透光性を有するものが適用可能である。
【００１６】
この出願の発明の採光窓付き内装パネルでは、具体的には、本体（３）の裏側に鍔部（１）が設けられた透光部材（５）を用い、その２つを対置される２枚の表面材（２）の各々に配設することができる。すなわち、図２にも示したように、２つの透光部材（５）の内、一方の透光部材（５）の本体（３）を一方の表面材（２）の開口部（４）に嵌め込み、他方の透光部材（５）の本体（３）を他方の表面材（２）の開口部に嵌め込むことができる。この場合、透光部材（５）は、内装パネルの厚み（Ｔ）に比べ薄厚に形成することができ、このため、たとえば薄厚板等を用いて採光部を形成することができる。これにより、低コスト化が図れる。また、表面材（２）毎に別個の透光部材（５）を使用することができるため、対置される２枚の表面材（２）の開口部（４）の位置を正確に合わせる必要がない。したがって、内装パネルを効率よく製造することが可能となる。２枚の表面材（２）の間には、図１に示したように、適所に芯材（６）を配置することができ、芯材（６）との組み合わせにより所望厚みの採光窓付き内装パネルを作製することができる。
【００１７】
さらに、２つの透光部材（５）の間には、図２示したような空間（７）を形成することができる。この空間（７）により採光窓を内装パネルの厚み方向に連続的に広がるもののように見せることができる。空間（７）には図３に示したように、フラットな透光部材（８）を介設し、透光部材（５）（８）を積層することができる。このようにしても、採光窓の内装パネルの厚み（Ｔ）方向の広がり感が得られる。また、図４に示したように、透光部材（５）を内装パネルの厚み（Ｔ）方向に２分割されたものとし、重合させることもできる。
【００１８】
もちろん、この出願の発明は、以上の実施形態によって限定されるものではない。表面材の構成及び構造、また、開口部の形状、さらに、透光部材の材質、本体や鍔部の形状、表面材への固定方式等の細部については様々な態様が可能であることはいうまでもない。
【産業上の利用可能性】
【００１９】
以上詳しく説明したとおり、この出願の発明によって、採光窓が容易に形成される採光窓付き内装パネルが提供される。
【図面の簡単な説明】
【００２０】
【図１】この出願の発明の採光窓付き内装パネルの一実施形態をその作製工程とともに例示した斜視図である。
【図２】この出願の発明の採光窓付き内装パネルの断面構造を例示した要部断面図である。
【図３】この出願の発明の採光窓付き内装パネルの断面構造を例示した要部断面図である。
【図４】この出願の発明の採光窓付き内装パネルの断面構造を例示した要部断面図である。
【符号の説明】
【００２１】
１    鍔部
２    表面材
３    本体
４    開口部
５    透光部材
６    芯材
７    空間
８    透光部材
【図１】
2005232879.tif 000003
【図２】
2005232879.tif 000004
【図３】
2005232879.tif 000005
【図４】
2005232879.tif 000006